(57)【要約】【課題】  強度、動作信頼性、耐久性を低下させることなく、また、ブレードの基板上の高さスペースの制約を逸脱することなく、スイッチの開閉ストロークに余裕を持たせたレバー開閉検知装置を提供する。【解決手段】  基板の板厚方向に開閉するスイッチ２６１と、イジェクトレバー２３の板面方向の開閉動作に駆動されることによってスイッチ２６１を板厚方向に開閉する梃子部材２６２と備えている。イジェクトレバー２３の略板面方向ｄの開閉ストロークｓ２３と、スイッチ２６１の板厚方向ｔの開閉ストロークｓ２６１との比は、ｘ対１（ｘ＞１）である。【選択図】  図４
2010199226.tif 000002
【特許請求の範囲】
【請求項１】
基板と、前記基板上に搭載された電子回路と、前記基板の後端側に設けられ、該基板がその先端からラックに挿入された時に該基板の板面に平行な方向である板面方向に閉じられる一方、該基板がラックから抜去される時に該板面方向に開かれるイジェクトレバーとを備えた電子回路搭載ブレードに取り付けられ、前記イジェクトレバーの開閉を検知するレバー開閉検知装置において、
前記基板の板厚方向に開閉するスイッチと、
支点、該前記イジェクトレバーから前記板面方向の開閉動作を受ける力点、および前記スイッチに前記板厚方向の開閉動作を与える作用点を持つ梃子部材と備えており、
前記イジェクトレバーの前記板面方向の開閉ストロークと、前記スイッチの前記板厚方向の開閉ストロークとの比は、ｘ対１（ｘ＞１）であることを特徴とするレバー開閉検知装置。
【請求項２】
前記梃子部材は、前記基板の板面に対する傾斜角度が３０度以上４５度未満である請求項１に記載のレバー開閉検知装置。
【請求項３】
前記梃子部材は、その梃子の種類が第２種梃子である請求項１または２に記載のレバー開閉検知装置。
【請求項４】
前記スイッチは、前記基板に形成された切欠部に入り込むようにして取り付けられている請求項１乃至３のいずれか一項に記載のレバー開閉検知装置。
【請求項５】
請求項１乃至４のいずれか一項に記載のレバー開閉検知装置と、前記基板と、前記電子回路と、前記イジェクトレバーとを有することを特徴とする電子回路搭載ブレード。
【請求項６】
ＡＴＣＡ規格に準拠している請求項５に記載の電子回路搭載ブレード。
【請求項７】
請求項５または６に記載の少なくとも１枚の電子機器搭載ブレードと、前記電子回路搭載ブレードを複数枚収容可能な前記ラックとを有することを特徴とするラック状電子機器。
【発明の詳細な説明】
【技術分野】
【０００１】
本発明は、ラックに挿抜される電子回路搭載ブレード（単に、ブレードとも呼ぶ）に関し、特に、ブレードに取り付けられ、ブレードのイジェクトレバーの開閉を検知するレバー開閉検知装置に関する。
【背景技術】
【０００２】
ブレードと、ブレードを複数枚収容可能な、各ブレードへの電源供給機能を持つラックとを有するラック状電子機器として、例えば、テレコムサーバがある。
【０００３】
テレコムサーバに関連したＡＴＣＡ（Advanced telecom computing architecture）規格は、通信事業者向けコンピュータのハードウエア規格であり、ラックならびにブレードのハードウエア仕様を規定している。ＡＴＣＡ規格に準拠したテレコムサーバにおいては、ＣＰＵや各種チップが搭載されたブレード単位で通信処理を実行できると共に、ブレードを追加することでサーバ全体の処理能力を容易に拡張することができる。
【０００４】
ＡＴＣＡ規格においては、ラックやブレードのサイズや構造の他に、電源を入れたままブレードを抜き挿しできるホットスワップ機能も規定されている。具体的には、ブレードに備えられたイジェクトレバーを解除状態に操作してブレードをラックから引き抜くことより取り外すことができる。この際に、イジェクトレバーの解除状態を検知し、この検知結果に応じてブレードが担っていた業務処理を停止して自身の電源を落とすホットスワップ処理が実行される。このように、ホットスワップ処理の実行条件として、イジェクトレバーの開閉を検知する必要がある。
【０００５】
図１を参照すると、ＡＴＣＡ規格に準拠したブレードの一例は、基板７１と、基板７１上に搭載された電子回路７２と、基板７１の後端７１ｒ側に取り付けられたイジェクトレバー７３と、イジェクトレバーの開閉を検知するプッシュスイッチ７６と、基板７１やイジェクトレバー７３等を支持する板金ベース７８とを備えている。
【０００６】
イジェクトレバー７３は、基板７１の後端７１ｒに取り付けられ、基板７１がその先端からラック１０に挿入された時に、基板７１の板面に平行な方向である略板面方向ｄに閉じられる。イジェクトレバー７３はまた、基板７１がラック１０から抜去される時に、略板面方向ｄに開かれる。イジェクトレバー７３が閉じられたときは、スイッチスタッド７３１が板金ベース７８に取り付けられたラッチ７５に係合することで保持される。このスイッチスタッド７３１は、イジェクトレバー７３が閉じられたときに、プッシュスイッチ７６の後述するピン７６ａを押す。
【０００７】
プッシュスイッチ７６は、イジェクトレバー７３の略板面方向ｄの開閉動作に応じて、イジェクトレバーと同じく板面方向ｄに開閉するプッシュ式マイクロスイッチである。具体的には、プッシュスイッチ７６は、イジェクトレバー７３が閉じたときに、スイッチスタッド７３１に押されるピン７６ａを備えている。プッシュスイッチ７６は、基板７１上に搭載された電子回路７２に含まれるスワッピング制御回路等に電気的に接続されている。そして、スワッピング制御回路等は、プッシュスイッチ７６が開のときはイジェクトレバー７３も開であり、プッシュスイッチ７６が閉のときはイジェクトレバー７３も閉であることを判別できる。
【０００８】
図１に示されたもの以外にも、イジェクトレバーの開閉を検知するスイッチを備えたブレードは、例えば、特許文献１〜４に開示されている。
【先行技術文献】
【特許文献】
【０００９】
【特許文献１】特許公開２００８−２１８８３５号公報
【特許文献２】特許公開２００８−２６９００３号公報
【特許文献３】登録実用新案第３１２２９５６号の登録実用新案公報
【特許文献４】登録実用新案第３１２６１０４号の登録実用新案公報
【発明の概要】
【発明が解決しようとする課題】
【００１０】
図１に示されたブレードならびに特許文献１〜４に開示されたブレードにおいて、イジェクトレバーの開閉を検知するスイッチはいずれも、イジェクトレバーと同じく電子回路搭載ブレードの基板の板面に平行な方向である板面方向に開閉するプッシュスイッチによって構成されている。即ち、イジェクトレバーの開閉ストロークと、レバー開閉検知スイッチの開閉ストロークとの比は、１対１である。尚、本明細書において、イジェクトレバーの開閉ストロークとは、イジェクトレバーのスイチスタッドがプッシュスイッチのピン先端に接しているときのストロークを云う。
【００１１】
ここで、スイッチの開閉ストロークは、比較的短いという実情にある。短い開閉ストロークのうちでスイッチの開閉が切り替わるため、スイッチを押すイジェクトレバーには、高い寸法精度が要求される。このような高い寸法精度での設計は、製品のコストの上昇を招き、好ましくない。また、イジェクトレバーの僅かなズレによって、レバー開閉を誤検出する虞もある。
【００１２】
これに対し、スイッチの開閉ストロークを延長し、スイッチ開閉に余裕を持たせることが考えられる。しかし、スイッチのピンの長さがスイッチの開閉ストロークに対して一義的に決まるため、開閉ストロークの延長に伴い、ピンの長さをも延長する必要がある。この場合、強度確保の点から、ピン径も太くする必要があるが、これはブレードの基板上の高さスペースの制約があり、困難である。また、ピンの延長は、その自重やリーチの増加に伴い、スイッチの接点部に不要なモーメントを与えることにも繋がるため、スイッチの誤作動の発生や、耐久性が低下が懸念される。
【００１３】
それ故、本発明の課題は、電子回路搭載ブレードのイジェクトレバーの開閉を検知するレバー開閉検知装置において、その強度、動作信頼性、耐久性を低下させることなく、また、ブレードの基板上の高さスペースの制約を逸脱することなく、スイッチの開閉ストロークに余裕を持たせたることである。
【００１４】
本発明の他の課題は、そのようなレバー開閉検知装置を備えた電子回路搭載ブレードを提供することである。
【００１５】
本発明の他の課題は、そのような電子回路搭載ブレードを有するラック状電子機器を提供することである。
【課題を解決するための手段】
【００１６】
本発明によれば、基板と、前記基板上に搭載された電子回路と、前記基板の後端側に設けられ、該基板がその先端からラックに挿入された時に該基板の板面に平行な方向である板面方向に閉じられる一方、該基板がラックから抜去される時に該板面方向に開かれるイジェクトレバーとを備えた電子回路搭載ブレードに取り付けられ、前記イジェクトレバーの開閉を検知するレバー開閉検知装置において、前記基板の板厚方向に開閉するスイッチと、支点、該前記イジェクトレバーから前記板面方向の開閉動作を受ける力点、および前記スイッチに前記板厚方向の開閉動作を与える作用点を持つ梃子部材と備え、前記イジェクトレバーの前記板面方向の開閉ストロークと、前記スイッチの前記板厚方向の開閉ストロークとの比は、ｘ対１（ｘ＞１）であることを特徴とするレバー開閉検知装置が得られる。
【００１７】
前記スイッチは、前記基板に形成された切欠部に入り込むようにして取り付けられていてもよい。
【００１８】
前記梃子部材は、前記基板の板面に対する傾斜角度が３０度以上４５度未満であってもよい。
【００１９】
前記スイッチは、マイクロスイッチであってもよい。
【００２０】
本発明によればまた、前記レバー開閉検知装置と、前記基板と、前記電子回路と、前記イジェクトレバーとを有することを特徴とする電子回路搭載ブレードが得られる。
【００２１】
前記電子機器搭載ブレードは、ＡＴＣＡ規格に準拠していてもよい。
【００２２】
本発明によればさらに、少なくとも１枚の前記電子機器搭載ブレードと、前記電子回路搭載ブレードを複数枚収容可能な前記ラックとを有することを特徴とするラック状電子機器が得られる。
【発明の効果】
【００２３】
本発明によるレバー開閉検知装置は、その強度、動作信頼性、耐久性を低下させることなく、また、ブレードの基板上の高さスペースの制約を逸脱することなく、スイッチの開閉ストロークに余裕を持っている。
【図面の簡単な説明】
【００２４】
【図１】本発明の関連技術による電子回路搭載ブレードにおけるイジェクトレバーの開閉を検知する手段を示す平面図である。
【図２】本発明の実施例による電子回路搭載ブレードにおけるイジェクトレバーの開閉を検知するレバー開閉検知装置を示す平面図である。
【図３】図２に示されたレバー開閉検知装置を示す斜視図である。
【図４】図２に示されたレバー開閉検知装置の動作を説明するための概念図である。
【図５】図２に示されたレバー開閉検知装置の取り付けられ方を説明するための図であり、（ａ）はスイッチ装置が取り付けられるブレードの基板を示す斜視図であり、（ｂ）は基板に取り付けられたレバー開閉検知装置を示す斜視図である。
【発明を実施するための形態】
【００２５】
本発明によるレバー開閉検知装置は、基板と、基板上に搭載された電子回路と、基板の後端側に設けられ、基板がその先端からラックに挿入された時に基板の板面に平行な方向である板面方向に閉じられる一方、基板がラックから抜去される時に板面方向に開かれるイジェクトレバーとを備えた電子回路搭載ブレードに取り付けられ、イジェクトレバーの開閉を検知するものである。
【００２６】
特に、本レバー開閉検知装置は、基板の板厚方向に開閉するスイッチと、梃子部材と備えている。梃子部材は、支点と、イジェクトレバーから板面方向の開閉動作を受ける力点と、およびスイッチに板厚方向の開閉動作を与える作用点とを持っている。そして、イジェクトレバーの板面方向の開閉ストロークと、スイッチの板厚方向の開閉ストロークとの比は、ｘ対１（ｘ＞１）である。
【００２７】
このような構成により、スイッチの実際の開閉ストロークはそのままで、イジェクトレバーの開閉ストロークが延長される。よって、強度、動作信頼性、耐久性を低下させることなく、また、ブレードの基板上の高さスペースの制約を逸脱することなく、スイッチの見かけ上の開閉ストロークに余裕が加えられる。
【実施例】
【００２８】
以下、図面を参照して、本発明によるレバー開閉検知装置のより具体的な実施例を詳細に説明する。
【００２９】
図２、図３、図４、図５（ａ）および（ｂ）を参照すると、本発明の実施例によるレバー開閉検知装置２６は、ＡＴＣＡ規格に準拠した電子回路搭載ブレード２０に取り付けられ、後述するイジェクトレバー２３の開閉を検知し、検知結果をスワッピング制御回答（図示せず）等の電子回路に出力するものである。電子回路搭載ブレード２０は、基板２１と、基板２１上に搭載された電子回路２２と、イジェクトレバー２３と、基板２１やイジェクトレバー２３等を支持する板金ベース２８とを備えている。尚、本発明によるラック状電子機器は、電子機器搭載ブレード２０と、電子回路搭載ブレード２０を複数枚収容可能なラック１０とを有している。
【００３０】
イジェクトレバー２３は、基板２１の後端２１ｒ側に取り付けられ、基板２１がその先端からラック１０に挿入された時に基板２１の板面に平行な方向である板面方向に閉じられる一方、基板２１がラック１０から抜去される時に板面方向に開かれる。イジェクトレバー２３が閉じられたときは、スイッチスタッド２３１が板金ベース２８に取り付けられたラッチ２５に係合することで保持される。このスイッチスタッド２３１は、イジェクトレバー２３が閉じられたときに、後述するスイッチ２６１のピン２６１ａを押す。
【００３１】
レバー開閉検知装置２６は、基板の板厚方向に開閉するスイッチ２６１と、イジェクトレバー２３の板面方向の開閉動作に駆動されることによってスイッチ２６１を板厚方向に開閉する梃子部材２６２と備えている。
【００３２】
スイッチ２６１は、イジェクトレバー２３の略板面方向ｄの開閉動作に応じて、基板２１の板厚方向ｔに開閉するプッシュ式マイクロスイッチである。具体的には、スイッチ２６１は、イジェクトレバー２３が閉じたときに、スイッチスタッド２３１に押されるピン２６１ａを備えている。スイッチ２６１は、基板２１上に搭載された電子回路２２に含まれるスワッピング制御回路（図示せず）等に、ランド２２１ａを介して電気的に接続されている。そして、スワッピング制御回路等は、スイッチ２６１が開のときはイジェクトレバー２３も開であり、スイッチ２６１が閉のときはイジェクトレバー２３も閉であることを判別できる。スイッチ２６１はまた、図５（ａ）および（ｂ）から明らかなように、基板２１に形成された切欠部２１３に入り込むようにして取り付けられている。このため、基板２１の両板面の一方にのみスイッチ検知装置２６が搭載されるのに比べ、電子回路搭載ブレード２０の厚さ方向のサイズをコンパクトにできる。尚、スイッチ２６１は鍔を備えているため、梃子部材２６２に押されても、基板２１の切欠部２１３から脱落することがない。
【００３３】
さて、イジェクトレバー２３の略板面方向ｄの開閉ストロークｓ２３と、スイッチ２６１の板厚方向ｔの開閉ストロークｓ２６１との比は、ｘ対１（ｘ＞１）である。つまり、スイッチ２６１の実際の開閉ストロークはそのままで、イジェクトレバー２３の開閉ストロークが延長される。よって、強度、動作信頼性、耐久性を低下させることなく、また、電子回路搭載ブレード２０の基板２１上の高さスペースの制約を逸脱することなく、スイッチ２６１の見かけ上の開閉ストロークに余裕が加えられる。尚、本発明において、イジェクトレバー２３の開閉ストロークとは、イジェクトレバー２３のスイチスタッド２３１が梃子部材２６２の表面に接しているときのストロークを云う。
【００３４】
電子回路搭載ブレード２０がその先端からラック１０に挿入された後、イジェクトレバー２３が開方向に回動されると、スイッチスタッド２３１によってレバー開閉検知装置２６の梃子部材２６２のおもて側にある力点が押される。この結果、梃子部材２６２の裏側にある作用点によってピン２６１ａが押され、スイッチ２６１が閉となる（検知回路がオンになる）。
【００３５】
尚、スイッチ２６１の見かけ上の開閉ストロークｓ２６１をより長くするには、イジェクトレバー２３のスイッチスタッド２３１を延長するか、梃子部材２６２の梃子の種類を支点、スイッチ２６１のピン２６１ａに接する作用点、イジェクトレバー２３のスイッチスタッド２３１に接する力点の順で並ぶ第２種梃子とするか、あるいは、梃子部材２６２の基板２１の板面に対する傾斜角度を４５度未満とすることである。ただし、梃子部材２６２の傾斜角度は、３０度以上であることが好ましい。これは、梃子部材２６２の傾斜角度が３０度未満であると、スイッチスタッド２３１によって梃子部材２６２を確実に押すことができずに空滑りする虞があるからである。あるいは、梃子部材２６２の材質として、ある程度の弾性を持つものを採用し、イッチ２６１の開閉ストロークよりも大きいイジェクトレバー２３の開閉ストロークの余剰分を吸収するように構成してもよい。
【産業上の利用可能性】
【００３６】
以上説明した実施例に限定されることなく、本発明は、その範囲内であれば、種々の変形が可能であることは云うまでもない。
【符号の説明】
【００３７】
１０      ラック
２０      電子回路搭載ブレード
２１      基板
２１３    切欠部
２２      電子回路
２２１ａ  ランド
２３      イジェクトレバー
２３１    スイッチスタッド
２５      ラッチ
２６      レバー開閉検知装置
２６１    スイッチ
２６１ａ  ピン
２６２    梃子部材
２８      板金ベース
【図１】
2010199226.tif 000003
【図２】
2010199226.tif 000004
【図３】
2010199226.tif 000005
【図４】
2010199226.tif 000006
【図５】
2010199226.tif 000007